(57)【要約】  対象の身体の少なくとも一部の画像における構造の少なくとも一部をマッピングするための方法及び装置が提供される。該対象の身体の少なくとも一部の画像における第１の点を囲む第１の領域の第１の加重重心が決定される（２０２）。該第１の加重重心を囲む第２の領域の第２の加重重心が決定される（２０４）。該第１の加重重心の位置に対する該第２の加重重心の位置に基づいて該画像における該構造の第１のトレースの少なくとも一部がマッピングされる（２０６）。
2019522519.tif 000002
【特許請求の範囲】
【請求項１】
対象の身体の少なくとも一部の画像における構造の少なくとも一部をマッピングするための方法であって、
前記対象の身体の少なくとも一部の画像における第１の点を囲む第１の領域の第１の加重重心を決定するステップと、
前記第１の加重重心を囲む第２の領域の第２の加重重心を決定するステップと、
前記第１の加重重心の位置に対する前記第２の加重重心の位置に基づいて前記画像における前記構造の第１のトレースの少なくとも一部をマッピングするステップと、
前記第１の点に隣接する、前記画像における第２の点を囲む第４の領域の第４の加重重心を決定するステップと、
前記第４の加重重心を囲む第５の領域の第５の加重重心を決定するステップと、
前記第５の加重重心の位置に対する前記第４の加重重心の位置に基づいて、前記画像における前記構造の第２のトレースの少なくとも一部をマッピングするステップと、
前記第１のトレースと前記第２のトレースとを比較して、前記画像における前記構造の少なくとも１本の稜線を識別するステップと、
を有する方法。
【請求項２】
前記構造は血管構造である、請求項１に記載の方法。
【請求項３】
前記加重重心は、強度加重重心、管状性加重重心、密度加重重心、又は強度の累乗に従って加重されたものである、請求項１又は２に記載の方法。
【請求項４】
前記重心は更に、ユークリッド距離のガウス重みに従って加重される、請求項３に記載の方法。
【請求項５】
前記第２の加重重心を囲む第３の領域の第３の加重重心を決定するステップと、
前記第２の加重重心の位置に対する前記第３の加重重心の位置に基づいて、前記画像
における前記構造の第１のトレースの少なくとも一部をマッピングするステップと、
を更に有する、請求項１乃至４のいずれか一項に記載の方法。
【請求項６】
前記比較するステップは、
前記第１のトレースと前記第２のトレースとが逸脱しているか否かを決定するステップと、
前記第１のトレースと前記第２のトレースとが逸脱していると決定された場合、前記第１のトレースと前記第２のトレースとの間に位置するものとして、前記画像における前記構造の少なくとも１本の稜線を識別するステップと、
を有する、請求項１に記載の方法。
【請求項７】
前記第１のトレースと前記第２のトレースとが逸脱しているか否かを決定するステップは、前記第１のトレースにおける点と前記第２のトレースにおける対応する点との間のユークリッド距離が、前記第１のトレースにおける後続する点と前記第２のトレースにおける後続する対応する点との間のユークリッド距離よりも短い場合に、前記第１のトレースと前記第２のトレースとが逸脱していると決定するステップ、
前記第１のトレース及び前記第２のトレースにおける対応する点の間の平均ユークリッド距離が閾値よりも大きい場合に、前記第１のトレースと前記第２のトレースとが逸脱していると決定するステップ、又は
前記第１のトレース及び前記第２のトレースにおける対応する点の間の最大ユークリッド距離が閾値よりも大きい場合に、前記第１のトレースと前記第２のトレースとが逸脱していると決定するステップ
を有する、請求項６に記載の方法。
【請求項８】
前記画像における前記構造の少なくとも１本の稜線を識別するステップは、前記第１のトレースと前記第２のトレースとの間の中間に位置するものとして、前記少なくとも１本の稜線を識別するステップを有する、請求項６又は７に記載の方法。
【請求項９】
前記第１のトレースと前記第２のトレースとが一致すると決定された場合、前記第１のトレースと前記第２のトレースとの間にないものとして前記少なくとも１本の稜線を識別するステップを更に有する、請求項６乃至８のいずれか一項に記載の方法。
【請求項１０】
前記画像における身体の一部の構造の少なくとも１つの他のトレースの少なくとも一部をマッピングするため、前記画像における少なくとも１つの他の点から開始して繰り返される、請求項１乃至９のいずれか一項に記載の方法。
【請求項１１】
前記画像は２次元画像であり、前記画像における点は画素であるか、又は、前記画像は３次元画像であり、前記画像における点はボクセルである、請求項１乃至１０のいずれか一項に記載の方法。
【請求項１２】
前記画像は２次元画像であり、前記少なくとも１本の稜線は前記２次元画像における少なくとも１本の線であるか、又は、前記画像は３次元画像であり、前記少なくとも１本の稜線は前記３次元画像における少なくとも１つの面である、請求項１乃至１１のいずれか一項に記載の方法。
【請求項１３】
コンピュータ読み取り可能な媒体を有する、コンピュータプログラム製品であって、前記コンピュータ読み取り可能な媒体は、該媒体に実施化されたコンピュータ読み取り可能なコードを持ち、前記コンピュータ読み取り可能なコードは、適切なコンピュータ又はプロセッサによる実行の際に、前記コンピュータ又はプロセッサに、請求項１乃至１２のいずれか一項に記載の方法を実行させるよう構成された、コンピュータ読み取り可能な媒体。
【請求項１４】
対象の身体の少なくとも一部の画像における構造の少なくとも一部をマッピングするための装置であって、
前記対象の身体の少なくとも一部の画像における第１の点を囲む第１の領域の第１の加重重心を決定し、
前記第１の加重重心を囲む第２の領域の第２の加重重心を決定し、
前記第１の加重重心の位置に対する前記第２の加重重心の位置に基づいて前記画像における前記構造の第１のトレースの少なくとも一部をマッピングし、
前記第１の点に隣接する、前記画像における第２の点を囲む第４の領域の第４の加重重心を決定し、
前記第４の加重重心を囲む第５の領域の第５の加重重心を決定し、
前記第５の加重重心の位置に対する前記第４の加重重心の位置に基づいて、前記画像における前記構造の第２のトレースの少なくとも一部をマッピングし、
前記第１のトレースと前記第２のトレースとを比較して、前記画像における前記構造の少なくとも１本の稜線を識別する
よう構成されたプロセッサを有する、装置。
【請求項１５】
前記プロセッサは、前記マッピングされた前記画像における前記第１のトレースの少なくとも一部を描画するよう、１つ以上のユーザインタフェースを制御するよう構成された、請求項１４に記載の方法。
【発明の詳細な説明】
【技術分野】
【０００１】
本発明は、医療画像の分野に関し、特に、対象の身体の少なくとも一部の画像における構造の少なくとも一部のマッピングに関する。
【背景技術】
【０００２】
医療画像は、組織を含む対象の身体の内部の視覚的な表現を提供する有用なツールである。コンピュータ断層撮影（ＣＴ）、磁気共鳴（ＭＲ）、超音波（ＵＳ）等を含む、種々の多くのタイプの医療撮像手法が存在している。医療撮像から得られた画像は、対象の臨床解析、及び必要な場合には医療的な介入のために有用である。例えば、医療撮像は、特に癌のスクリーニングに有用である。
【０００３】
コンピュータ断層撮影スキャンはしばしば、肺癌のスクリーニングに用いられるが、それは該スキャンが、コスト効率が良く、コンピュータ断層撮影により生成された画像の解析は、対象の死亡率を減少させると認識されているからである。コンピュータ断層撮影スキャンは、標準化されたLung-RADSレポート方式に従って該スキャンを文書化することを必要とされている放射線医により実行される。当該方式の下では、肺は５個の肺葉に分割され、これら５個の肺葉は、２０個の肺区域に分割される。該方式に従って、検出された肺の結節（例えば変則又は異常）の位置は、肺葉及び肺区画に対して記述される必要がある。
【０００４】
例えば、米国特許公開US2014/0079306A1は、胸部の３次元医療画像が得られ、該３次元医療画像から気管支孝蔵が抽出され、該気管支構造が、該気管支構造の逸脱（divergence）に基づいて複数の気管支構造に分割され、該複数の分割された気管支構造に基づいて複数の分割された肺領域が得られる方法を開示している。
【発明の概要】
【発明が解決しようとする課題】
【０００５】
しかしながら、肺葉（及び気管支構造）は、可視の溝により分離され、それ故識別が容易であるが、肺区画自体は、中心動脈に対して解剖学的に定義される。このことは、肺の画像において肺区画が迅速に識別されることを困難にし、その結果、経験のある放射線医によってさえも容易に混乱を招くものとなる。それ故、肺区画に関する結節位置レポート誤差が一般的である。
【０００６】
更に、区画化のための既存の主砲は、ノイズの影響を受け易く、殆どの医療画像手法において利用できないような、画像における高い空間解像度に依存する（例えば、コンピュータ断層撮影によるスクリーニングについては低画像解像度が一般的である）。
【０００７】
それ故、対象の少なくとも一部の画像における構造の少なくとも一部をマッピングするための、改善された方法及び装置に対するニーズがある。
【課題を解決するための手段】
【０００８】
以上に示したように、既存の手法の制限は、対象の身体の一部の区画（例えば肺区画）の位置を特定することが難しいことである。区画はしばしば組織の血管構造に対して定義されるため、これらの問題を克服するためには、血管の逸脱の稜線（ridgeline）を特定する方法を備え、対象の身体の一部の区画の境界を、医師が容易に識別することを可能とすることが、有用となり得る。
【０００９】
それ故、本発明の第１の態様によれば、対象の身体の少なくとも一部の画像における構造の少なくとも一部をマッピングするための方法が提供される。該方法は、前記対象の身体の少なくとも一部の画像における第１の点を囲む第１の領域の第１の加重重心を決定するステップと、前記第１の加重重心を囲む第２の領域の第２の加重重心を決定するステップと、前記第１の加重重心の位置に対する前記第２の加重重心の位置に基づいて前記画像における前記構造の第１のトレースの少なくとも一部をマッピングするステップと、を有する。
【００１０】
幾つかの実施例においては、前記構造は血管構造であっても良い。
【００１１】
幾つかの実施例においては、前記加重重心は、強度加重重心、管状性（vesselness）加重重心、密度加重重心、又は強度の累乗に従って加重されたものであっても良い。幾つかの実施例においては、前記重心は更に、ユークリッド距離のガウス重みに従って加重されても良い。
【００１２】
幾つかの実施例においては、前記方法は更に、前記第２の加重重心を囲む第３の領域の第３の加重重心を決定するステップと、前記第２の加重重心の位置に対する前記第３の加重重心の位置に基づいて、前記画像における前記構造の第１のトレースの少なくとも一部をマッピングするステップと、を有しても良い。
【００１３】
幾つかの実施例においては、前記方法は更に、前記画像における第２の点を囲む第４の領域の第４の加重重心を決定するステップと、前記第４の加重重心を囲む第５の領域の第５の加重重心を決定するステップと、前記第５の加重重心の位置に対する前記第４の加重重心の位置に基づいて、前記画像における前記構造の第２のトレースの少なくとも一部をマッピングするステップと、前記第１のトレースと前記第２のトレースとを比較して、前記画像における前記構造の少なくとも１本の稜線を識別するステップと、を有しても良い。幾つかの実施例においては、前記比較するステップは、前記第１のトレースと前記第２のトレースとの間の局所的な逸脱最大値を決定するステップを有しても良い。幾つかの実施例においては、前記第２の点は、前記第１の点に隣接していても良い。
【００１４】
幾つかの実施例においては、該方法は、前記画像における身体の一部の構造の少なくとも１つの他のトレースの少なくとも一部をマッピングするため、前記画像における少なくとも１つの他の点から開始して繰り返されても良い。
【００１５】
幾つかの実施例においては、前記比較するステップは、前記第１のトレースと前記第２のトレースとが逸脱しているか否かを決定するステップと、前記第１のトレースと前記第２のトレースとが逸脱していると決定された場合、前記第１のトレースと前記第２のトレースとの間に位置するものとして、前記画像における前記構造の少なくとも１本の稜線を識別するステップと、を有しても良い。
【００１６】
幾つかの実施例においては、前記第１のトレースと前記第２のトレースとが逸脱しているか否かを決定するステップは、前記第１のトレースにおける点と前記第２のトレースにおける対応する点との間のユークリッド距離が、前記第１のトレースにおける後続する点と前記第２のトレースにおける後続する対応する点との間のユークリッド距離よりも短い場合に、前記第１のトレースと前記第２のトレースとが逸脱していると決定するステップを有しても良い。幾つかの実施例においては、前記第１のトレースと前記第２のトレースとが逸脱しているか否かを決定するステップは、前記第１のトレース及び前記第２のトレースにおける対応する点の間の平均ユークリッド距離が閾値よりも大きい場合に、前記第１のトレースと前記第２のトレースとが逸脱していると決定するステップを有しても良い。
【００１７】
幾つかの実施例においては、前記第１のトレースと前記第２のトレースとが逸脱しているか否かを決定するステップは、前記第１のトレース及び前記第２のトレースにおける対応する点の間の最大ユークリッド距離が閾値よりも大きい場合に、前記第１のトレースと前記第２のトレースとが逸脱していると決定するステップを有しても良い。
【００１８】
幾つかの実施例においては、前記画像における前記構造の少なくとも１本の稜線を識別するステップは、前記第１のトレースと前記第２のトレースとの間の中間に位置するものとして、前記少なくとも１本の稜線を識別するステップを有しても良い。幾つかの実施例においては、前記方法は、前記第１のトレースと前記第２のトレースとが一致（converge）すると決定された場合、前記第１のトレースと前記第２のトレースとの間にないものとして前記少なくとも１本の稜線を識別するステップを更に有しても良い。
【００１９】
幾つかの実施例においては、前記対象の身体の少なくとも一部の画像は、第１のガウスカーネルを用いて前記対象の身体の少なくとも一部の取得された画像を畳み込み、第１の平滑化された画像を得て、第２のガウスカーネルを用いて該取得された画像を畳み込み、第２の平滑化された画像を得て、前記第２の平滑化された画像から前記第１の平滑化された画像を減算して画像を得ることにより、得られても良い。幾つかの実施例においては、第１のガウスカーネルの標準的偏差は、第２のガウスカーネルの標準偏差よりも大きくても良い。
【００２０】
幾つかの実施例においては、前記画像は２次元画像であり、前記画像における点は画素であるか、又は前記画像は３次元画像であり、前記画像における点はボクセルであっても良い。
【００２１】
幾つかの実施例においては、前記画像は２次元画像であり、前記少なくとも１本の稜線は前記２次元画像における少なくとも１本の線であるか、又は、前記画像は３次元画像であり、前記少なくとも１本の稜線は前記３次元画像における少なくとも１つの面であっても良い。
【００２２】
幾つかの実施例においては、前記方法は更に、第１の加重重心を決定する前に、等方的な画素又は等方的なボクセルを再サンプリングするステップを有しても良い。
【００２３】
本発明の第２の態様によれば、コンピュータ読み取り可能な媒体を有する、コンピュータプログラム製品であって、前記コンピュータ読み取り可能な媒体は、該媒体に実施化されたコンピュータ読み取り可能なコードを持ち、前記コンピュータ読み取り可能なコードは、適切なコンピュータ又はプロセッサによる実行の際に、前記コンピュータ又はプロセッサに、以上に説明された方法を実行させるよう構成された、コンピュータ読み取り可能な媒体が提供される。
【００２４】
本発明の第３の態様においては、対象の身体の少なくとも一部の画像における構造の少なくとも一部をマッピングするための装置が提供される。該装置は、前記対象の身体の少なくとも一部の画像における第１の点を囲む第１の領域の第１の加重重心を決定し、前記第１の加重重心を囲む第２の領域の第２の加重重心を決定し、前記第１の加重重心の位置に対する前記第２の加重重心の位置に基づいて前記画像における前記構造の第１のトレースの少なくとも一部をマッピングするよう構成されたプロセッサを有する。
【００２５】
幾つかの実施例においては、前記プロセッサは更に、前記画像における第２の点を囲む第４の領域の第４の加重重心を決定し、前記第４の加重重心を囲む第５の領域の第５の加重重心を決定し、前記第５の加重重心の位置に対する前記第４の加重重心の位置に基づいて、前記画像における前記構造の第２のトレースの少なくとも一部をマッピングし、前記第１のトレースと前記第２のトレースとを比較して、前記画像における前記構造の少なくとも１本の稜線を識別するように構成されても良い。幾つかの実施例においては、前記第２の点は、前記第１の点に隣接していても良い。
【００２６】
幾つかの実施例においては、前記プロセッサは、前記マッピングされた前記画像における前記第１のトレースの少なくとも一部を描画するよう、１つ以上のユーザインタフェースを制御するよう構成されても良い。
【００２７】
以上の態様及び実施例によれば、特定の長さに亘って、画像の各点から対象の身体の構造（例えば血管構造）の少なくとも一部を自動的にトレースすることが可能となる。また、高い血管逸脱のもののような稜線を識別することが可能となる。更に、このこと簡便で効率の良い態様で実現される。該方法及び装置はまた、ノイズ及び低画像解像度に対しても非常に堅固である。識別された稜線は、元の画像に重畳されるときに、有用な（例えば放射線医のような医療専門家に対して）向き情報を含み、肺の区画の容易な識別を可能とする。
【００２８】
斯くして、対象の身体の少なくとも一部の画像における構造の少なくとも一部をマッピングするための、改善された方法及び装置が提供される。
【００２９】
本発明のより好適な理解のため、また本発明がどのように実施され得るかをより明確に示すため、単に例として、添付図面への参照が為される。
【図面の簡単な説明】
【００３０】
【図１】実施例による装置のブロック図である。
【図２】実施例による方法を示すフロー図である。
【図３】他の実施例による方法を示すフロー図である。
【図４】他の実施例による方法を示すフロー図である。
【図５】実施例による方法を示すフロー図である。
【図６】実施例による元の画像Ａ及び処理された画像Ｂの図である。
【発明を実施するための形態】
【００３１】
以上に述べたように、本発明は、既存の問題を克服する、対象の身体の少なくとも一部の画像における構造の少なくとも一部をマッピングするための、改善された方法及び装置を提供する。
【００３２】
図１は、対象の身体の少なくとも一部の画像における構造の少なくとも一部をマッピングするために用いられ得る、本発明の実施例による装置１００のブロック図を示す。
【００３３】
装置１００は、装置１００の動作を制御し、ここで説明される方法を実装することができる、プロセッサ１０２を有する。プロセッサ１０２は、ここで説明される態様で装置１００を制御するよう構成又はプログラムされた、１つ以上のプロセッサ、処理ユニット、マルチコアプロセッサ又はモジュールを有しても良い。特定の実装においては、プロセッサ１０２は、本発明の実施例による方法の個々の又は複数のステップを実行するよう各々が構成された又は実行するための、複数のソフトウェア及び／又はハードウェアモジュールを有しても良い。
【００３４】
簡潔に言うと、プロセッサ１０２は、対象の身体の少なくとも一部の画像における第１の点を囲む第１の領域の第１の加重重心を決定し、前記第１の加重重心を囲む第２の領域の第２の加重重心を決定し、前記第１の加重重心の位置に対する前記第２の加重重心の位置に基づいて前記画像における前記構造の第１のトレースの少なくとも一部をマッピングするよう構成される。幾つかの実施例においては、前記画像は２次元画像であり、前記画像における点は画素である。他の実施例においては、前記画像は３次元画像であり、前記画像における点はボクセルである。該画像は、コンピュータ断層撮影（ＣＴ）画像、磁気共鳴（ＭＲ）画像、超音波（ＵＳ）画像、Ｘ線画像又は他のいずれかの医療画像のような、医療画像であっても良い。
【００３５】
幾つかの実施例においては、該対象の身体の少なくとも一部の画像における構造は、血管構造、リンパ腺構造又は肺構造である。該構造の例は、動脈、静脈及び毛細血管のような管を含む。該対象の身体の一部は、マッピングされるべき構造を有する、該対象の身体のいずれの部分であっても良い。例えば、該対象の身体の一部は、該対象の肺、該対象の腸、該対象の腎臓、該対象の肝臓、該対象の胸部、該対象のその他の肺組織、又はその他のマッピングされるべき構造を有する該対象の身体の他の部分であっても良い。該対象の身体の一部、及び画像における該対象の身体の少なくとも一部の構造として、例が示されたが、本発明は該対象の身体の他の部分の他の構造をマッピングするためにも用いられ得ることは、理解されるであろう。
【００３６】
ここで説明された実施例のいずれにおいても、加重重心は、いずれの適切な態様で重み付けされても良い。例えば、加重重心は、強度により重み付けされた重心（強度加重重心と呼ばれ得る）であっても良いし、密度により加重された重心（密度加重重心と呼ばれ得る）であっても良いし、強度の累乗により加重された重心（強度累乗加重重心と呼ばれ得る）であっても良いし、又は管状性により加重された重心（管状性加重重心と呼ばれ得る）であっても良い。これらの例のいずれにおいても、重みは、スカラー強度値、スカラー密度値、強度値のスカラー累乗、又はスカラー管状性値のような、スカラー特性値であっても良い。画像における点を囲む（又は加重重心を囲む）領域の加重重心を決定するため、該領域の各点の座標値は、該点についての重みにより乗算され、その結果の値が合計されて、これら重みの全ての合計により除算される。
【００３７】
画像における点（又は加重重心）を囲む領域の強度加重重心を決定するため、該領域における各点の座標値は、該点についてのスカラー強度値により乗算され、その結果の値が合計されて、次いでスカラー強度値の全ての合計により除算される。画像における構造（例えば血管）は、典型的には背景よりも明るく、該領域における各点の強度値は、重み因子として直接に用いられ得るため、強度加重重心は有用となり得る。強度加重重心は、ゼロ導関数により重み付けされた重心の一例である。画像における点（又は加重重心）を囲む領域の強度累乗加重重心を決定するため、該領域における各点の座標値は、該点についての強度値のスカラー累乗により乗算され、その結果の値が合計されて、次いでの強度値のスカラー累乗の全ての合計により除算される。
【００３８】
画像における点（又は加重重心）を囲む領域の密度加重重心を決定するため、該領域における各点の座標値は、該点についてのスカラー密度値により乗算され、その結果の値が合計されて、次いでスカラー密度値の全ての合計により除算される。密度加重重心は、強度加重重心に類似するが、光子の数が受けられた光子の密度として記録されている画像に適用されることができる。幾つかの実施例（例えばコンピュータ断層撮影画像の実施例又はＸ線画像の実施例）においては、密度は、重心を重み付けするための強度値により示される。点の密度は、該点の強度に比例し得る。
【００３９】
幾つかの実施例によれば、画像における点（又は加重重心）を囲む領域の管状性加重重心を決定するため、該領域における各点の座標値は、該点についてのスカラー管状性値により乗算され、その結果の値が合計されて、次いでスカラー管状性値の全ての合計により除算される。スカラー管状性値は、画像における点が管に属する可能性がどれだけ高いかを定義する。幾つかの実施例においては、管状性は、ヘッシアン（Hessian）行列に基づいて決定されても良い。例えば、管状性は、ヘッシアン行列の固有値により定義され得る。幾つかの実施例においては、管状性は、構造テンソルに基づいて決定されても良い。
【００４０】
幾つかの実施例においては、幾つかの実施例により画像における点（又は加重重心）を囲む領域の管状性加重重心を決定するため、該領域の各点の座標値の第１の空間導関数が決定されても良い。これら第１の空間導関数は、行列（具体的には、２次元画像については２×２行列、３次元画像については３×３行列）を導出するための、径方向ベクトルを用いてベクトル外積において用いられ得る勾配ベクトルを形成する。例えば、全ての行列の合計は対称構造テンソルを導出し、該テンソルから固有値が決定され得る。第２の固有値の大きさは、円筒構造（例えば管）を表し、従って幾つかの実施例においては、第２の固有値の大きさは、画像中の円筒構造を強調するための重み因子として用いられることができる。代替として、又はこれに加えて、幾つかの実施例においては、最大の固有値に対する第２の固有値の比が、重みの因子として用いられても良い。
【００４１】
幾つかの実施例によれば、該領域の各点の座標値の第１の空間導関数を決定する代わりに、該領域の各点の座標値の第２の空間導関数が決定されても良い。第２の空間導関数は、２次元の対称行列（具体的には、２次元画像については２×２行列、３次元画像については３×３行列）を形成し、それぞれ２及び３個の固有値を導出する。（以上に説明されたような）第１の導関数及び第２の導関数による加重は、背景領域の上で構造（又はより具体的には管）を強調するために用いられることができる管状性加重の例である。
【００４２】
以上に説明された実施例のいずれにおいても、更なる重み付けが適用されても良い（例えば以下に説明されるようなガウシアン加重のような空間的な重み付け）。
【００４３】
再び図１に戻ると、幾つかの実施例においては、装置１００は、少なくとも１つのユーザインタフェース１０４を更に有しても良い。代替として、又はこれに加えて、ユーザインタフェース１０４は、装置１００の外部にあっても良い（即ち装置１００とは別個の又は装置１００から離れたものであって良い）。例えば、ユーザインタフェース１０４は、他の装置の一部であっても良い。
【００４４】
ユーザインタフェース１０４は、前記対称又は装置１００のその他のユーザ（例えば医療提供者、医療専門家、介護者又はその他の人物）に、本発明による方法に起因する情報を提供する際に用いられ得る。プロセッサ１０２は、本発明による方法に起因する情報を提供するよう、１つ以上のユーザインタフェース１０４を制御するよう構成されても良い。例えば、プロセッサ１０２は、マッピングされた画像における構造の第１のトレースの少なくとも一部を描画するよう、１つ以上のユーザインタフェース１０４を制御するよう構成されても良い。代替として、又はこれに加えて、ユーザインタフェース１０４は、ユーザ入力を受信するよう構成されても良い。換言すれば、ユーザインタフェース１０４は、対象又は装置１００の他のユーザが、データ、命令又は情報を手動で入力することを可能とし得る。プロセッサ１０２は、１つ以上のユーザインタフェース１０４からユーザ入力を取得するよう構成されても良い。
【００４５】
ユーザインタフェース１０４は、対象又は装置１００の他のユーザに対する、情報、データ又は信号の描画（又は出力）を可能とし得る。代替として、又はこれに加えて、ユーザインタフェース１０４は、対象又は装置１００の他のユーザが、ユーザ入力を装置１００に供給すること、装置１００とインタラクトすること、及び／又は装置１００を制御することを可能としても良い。例えば、ユーザインタフェース１０４は、１つ以上のスイッチ、１つ以上のボタン、キーパッド、キーボード、タッチ画面、若しくはアプリケーション（例えばタブレット又はスマートフォン上の）、表示画面、若しくはその他の視覚的なインジケータ、１つ以上のスピーカ、１つ以上のマイクロフォン、他のいずれかの音声会話要素、１つ以上の照明、触知的なフィードバックを提供するための要素（例えば振動機能）、又はその他のいずれかのユーザインタフェース若しくはユーザインタフェースの組み合わせを有しても良い。
【００４６】
幾つかの実施例においては、装置１００はまた、装置１００が、装置１００の内部にあるか又は外部にあるいずれかのインタフェース、センサ及び装置と通信することを可能とするための通信インタフェース１０６を有しても良い。通信インタフェース１０６は、無線で又は有線接続を介して、いずれかのインタフェース、センサ及び装置と通信しても良い。例えば、ユーザインタフェース１０４が装置１００の外部にある実施例においては、通信インタフェース１０６は、無線で又は有線接続を介して、該外部のユーザインタフェースと通信しても良い。
【００４７】
幾つかの実施例においては、装置１００はまた、ここで説明される方法を実行するためプロセッサ１０２により実行されることができるプログラムコードを保存するよう構成されたメモリ１０８を有しても良い。メモリ１０８は、装置１００のプロセッサ１０２により、又は装置１００の外部にあるいずれかの装置、センサ及びインタフェースによりつくられた又は取得された、情報、データ、信号及び測定値を保存するために用いられても良い。
【００４８】
図１は、本発明の当該態様を説明するために必要な構成要素のみを示し、実用的な実装においては、装置１００は、示されたものに加えて更なる構成要素を有しても良いことは、理解されるであろう。例えば、装置１００は、装置１００に電力供給するためのバッテリ又はその他の電源、又は装置１００を主電源に接続するための手段を有しても良い。
【００４９】
図２は、一実施例による対象の身体の少なくとも一部の画像における構造の少なくとも一部をマッピングするための方法２００を示す。図示された方法２００は、一般に装置１００のプロセッサ１０２により又はプロセッサ１０２の制御の下で実行されることができる。
【００５０】
図２を参照すると、ブロック２０２において、対象の身体の少なくとも一部の画像における第１の点を囲む第１の領域の第１の加重重心が決定される。実際には、該画像における第１の点は、該画像における第１のトレースのための開始点として用いられる。該画像における第１の点は、該画像において任意に選択された点であっても良いし、又は該画像における所定の点であっても良い。該第１の加重重心はこのとき、該画像における構造の第１のトレースのための次の点である。該第１の加重重心は、該画像における第１の点を囲む第１の領域の加重重心である。ここで、点（又は加重重心）を囲む領域は、点（又は加重重心）のまわりの局所的な隣接域とも呼ばれ得る。
【００５１】
点を囲む領域のサイズは、所定の領域であっても良い。例えば、幾つかの実施例においては、点を囲む領域は、メモリ１０８に保存された予めプログラムされた領域であっても良い。幾つかの実施例においては、該領域は、試験的なデータセットに対して実行された試験から学習された情報、又はユーザインタフェース１０４を介して受信されたユーザ入力に基づいて、プロセッサ１０２により設定されても良い。該領域はまた、プロセッサ１０２により学習された情報、又はユーザインタフェース１０４を介して受信されたユーザ入力に基づいて、プロセッサ１０２により適合可能なものであっても良い。幾つかの実施例においては、該領域は、該画像のサイズ、マッピングされるべき特徴のサイズ、及び／又は該画像とマッピングされるべき特徴との相対的なサイズに応じて、設定されても良い。幾つかの実施例においては、異なる特徴については、異なるサイズの領域が用いられ得る。例えば、小さな特徴（例えば毛細血管）は、大きな特徴（例えば静脈又は動脈）をマッピングするために用いられるものよりも、小さなサイズの領域を用いてマッピングされても良い。幾つかの実施例においては、異なるスケールにおける対象を位置決めするため、異なるサイズの領域の範囲を用いて、画像が１回よりも多くマッピングされても良い。例えば、肺区画（即ち肺葉を形成するサブユニット）の典型的なサイズは、約５０ｍｍである。それ故、肺区画がマッピングされるべき場合には、重心を計算するために用いられる領域は、当該サイズよりも小さな等価な画素又はボクセル幅を持つよう設定されて、肺区画が区別されることを可能としても良い。
【００５２】
ブロック２０４において、第１の加重重心を囲む第２の領域の第２の加重重心が決定される。ブロック２０６において、該第１の加重重心の位置に対する該第２の加重重心の位置に基づいて、該画像における構造の第１のトレースの少なくとも一部がマッピングされる。該第１の加重重心の位置に対する該第２の加重重心の位置の間のマッピングは、第１のトレース（の部分又は一部の）ステップとして示され得る。従って、第１のトレースの少なくとも一部のマッピングは、第１の加重重心と第２の加重重心との相対位置に基づいて定義される。このようにして、第１の加重重心及び第２の加重重心は、第１のトレースの一部を形成する。第１のトレースは斯くして、少なくとも第１の（開始）点、第１の加重重心、及び第２の加重重心を含む、複数の重心を有する。幾つかの実施例においては、例えば、第１のトレースの少なくとも一部のマッピングは、第２の加重重心を第１の加重重心に接続する線（直線であっても良いし又は曲線であって良い）として定義され得る。
【００５３】
実際には、画像における構造の第１のトレースの少なくとも一部のマッピングは、該画像における構造の少なくとも一部の位置を、該画像から抽出するか、該画像から推論する。それ故、以上に説明された方法によれば、連続的な加重重心が、該構造の特徴に向かう又は該構造の特徴に沿った、該画像における経路をプロットする。例えば、連続的な加重重心は、毛細血管に沿った連続的な点をプロットし得る（例えば関連する静脈又は動脈に向かう毛細血管の最も微細な端部から）。幾つかの実施例においては、重畳が生成され、該構造の第１のトレースの少なくとも一部が該重畳上に提供されても良い。
【００５４】
画像における構造の第１のトレースの少なくとも一部は次いで、対象又は他のユーザに対して描画されても良い。例えば、前述したように、プロセッサ１０２は、マッピングされた該構造の第１のトレースの少なくとも一部を描画するよう、１つ以上のユーザインタフェース１０４を制御するよう構成されても良い。一実施例においては、マッピングされた該構造の第１のトレースの少なくとも一部は、表示画面により描画される。前述したように、幾つかの実施例においては、重畳が生成され、該構造の第１のトレースの少なくとも一部が該重畳上に提供されても良い。斯くして、幾つかの実施例においては、マッピングされた該構造の第１のトレースの少なくとも一部は、元の画像の上に重畳されたものとして描画され得る。このようにして、該画像における身体の一部の構造は、視覚化され又は強調されることができる。
【００５５】
図２の方法は、該画像における身体の一部の構造の少なくとも１つの他のトレースの少なくとも一部をマッピングするため、該画像における少なくとも１つの他の点から開始して繰り返されても良い。幾つかの実施例においては、該画像における各点は、トレースのための開始点として用いられる。換言すれば、トレースは、幾つかの実施例によれば、該画像における各点から開始される。
【００５６】
図３は、他の実施例による、対象の身体の少なくとも一部の画像における構造の少なくとも一部をマッピングするための方法３００を示す。図示された方法３００は、一般に装置１００のプロセッサ１０２により又はプロセッサ１０２の制御の下で実行されることができる。
【００５７】
図３を参照すると、ブロック３０２において、対象の身体の少なくとも一部の画像における第１の点を囲む第１の領域の第１の加重重心が決定される。ブロック３０４において、第１の加重重心を囲む第２の領域の第２の加重重心が決定される。ブロック３０６において、該第１の加重重心の位置に対する該第２の加重重心の位置に基づいて、該画像における構造の第１のトレースの少なくとも一部がマッピングされる。前述したように、該第１の加重重心の位置に対する該第２の加重重心の位置の間のマッピングは、第１のトレースの第１のステップである。換言すれば、それぞれ図２のブロック２０２、ブロック２０４及びブロック２０６を参照しながら以上に説明された方法が実行される。該方法の詳細はここでは繰り返されないが、図３のブロック３０２、３０４及び３０６にも当てはまることは理解されるであろう。
【００５８】
図３のブロック３０８において、第２の加重重心を囲む第３の領域の第３の加重重心が決定される。ブロック３１０において、該第２の加重重心の位置に対する該第３の加重重心の位置に基づいて、該画像における構造の第１のトレースの少なくとも一部がマッピングされる。該第２の加重重心の位置に対する該第３の加重重心の位置の間のマッピングは、第１のトレースの第２のステップである。斯くして、第１のトレースは、複数の重心を有し、本実施例においては、少なくとも第１の（開始）点、第１の加重重心、第２の加重重心、及び第３の加重重心を含む。
【００５９】
ブロック３１２において、ブロック３０８及び３１０の方法は、第１のトレースにおける少なくとも１つの他のステップ（又は少なくとも１つの他の加重重心）について繰り返される。ここで、該少なくとも１つの他の加重重心のそれぞれは、以前の加重重心を囲む領域に基づいて決定され、該構造の第１のトレースの少なくとも一部は、以前の加重重心に対する該少なくとも１つの他の加重重心の位置に基づいてマッピングされる。以前の加重重心に対する各少なくとも１つの他の加重重心の間のマッピングは、第１のトレースにおける更なるステップである。このようにして、第１のトレースは、複数のステップＮを有し得る。
【００６０】
ブロック３０８及び３１０の方法は、所定の数のステップＮについて（又は所定の数の加重重心について）又は所定の回数だけ繰り返されても良い。幾つかの実施例においては、所定の数のステップＮ（又は所定の数の加重重心）又は所定の回数についての値は、メモリ１０８に保存された予めプログラムされた値であっても良い。幾つかの実施例においては、該値は、試験的なデータセットに対して実行された試験から学習された情報、又はユーザインタフェース１０４を介して受信されたユーザ入力に基づいて、プロセッサ１０２により設定されても良い。該値はまた、プロセッサ１０２により学習された情報、又はユーザインタフェース１０４を介して受信されたユーザ入力に基づいて、プロセッサ１０２により適合可能なものであっても良い。
【００６１】
ブロック３０８及び３１０の方法が繰り返されるたびに、決定される加重重心は、対象の身体の少なくとも一部の画像における構造に向かって又は該構造に沿って移動する。例えば、重心が密度加重されている場合、決定される加重重心は、該画像におけるより密な（及び／又は厚い）構造に向かって、及び該構造のより密な（及び／又は厚い）部分へと該構造に沿って移動する。同様に、重心が強度加重されている場合、決定される加重重心は、該画像におけるより高い強度の構造に向かって、及び該構造のより高い強度の部分へと該構造に沿って移動する。このようにして、画像における高い密度又は高い強度の構造のトレースを生成することが可能となる。
【００６２】
該構造のマッピングされた第１のトレースは次いで、対象又はその他のユーザに対して描画されても良い。例えば、前述したように、プロセッサ１０２は、該構造のマッピングされた第１のトレースを描画するよう、１つ以上のユーザインタフェース１０４を制御するよう構成されても良い。一実施例においては、該構造のマッピングされた第１のトレースは、表示画面により描画される。マッピングされた該構造の第１のトレースの少なくとも一部は、元の画像の上に重畳されたものとして描画されても良い。このようにして、該画像における身体の一部の構造は、視覚化され又は強調されることができる。
【００６３】
図３の方法は、該画像における身体の一部の構造の少なくとも１つの他のトレースの少なくとも一部をマッピングするため、該画像における少なくとも１つの他の点から開始して繰り返されても良い。幾つかの実施例においては、該画像における各点は、トレースのための開始点として用いられる。換言すれば、トレースは、幾つかの実施例によれば、該画像における各点から開始される。
【００６４】
図４は、他の実施例による、対象の身体の少なくとも一部の画像における構造の少なくとも一部をマッピングするための方法４００を示す。図示された方法４００は、一般に装置１００のプロセッサ１０２により又はプロセッサ１０２の制御の下で実行されることができる。
【００６５】
図４を参照すると、ブロック４０２において、対象の身体の少なくとも一部の画像における第１の点を囲む第１の領域の第１の加重重心が決定される。ブロック４０４において、第１の加重重心を囲む第２の領域の第２の加重重心が決定される。ブロック４０６において、該第１の加重重心の位置に対する該第２の加重重心の位置に基づいて、該画像における構造の第１のトレースの少なくとも一部がマッピングされる。前述したように、該第１の加重重心の位置に対する該第２の加重重心の位置の間のマッピングは、第１のトレースの第１のステップである。換言すれば、それぞれ図２のブロック２０２、ブロック２０４及びブロック２０６を参照しながら以上に説明された方法が実行される。該方法の詳細はここでは繰り返されないが、図４のブロック４０２、４０４及び４０６にも当てはまることは理解されるであろう。
【００６６】
ブロック４０８において、画像における第２の点を囲む第４の領域の第４の加重重心が決定される。該画像における第２の点は、第１の点に対して該画像において隣接する（又は近隣の）点であって良い。例えば、第１の点と第２の点とは、２次元画像における隣接する（又は近隣の）画素であっても良いし、又は３次元画像における隣接する（又は近隣の）ボクセルであっても良い。実際には、画像における２つの隣接する（又は近隣の）点が、開始点としてそれぞれ用いられる。第２の点は、画像における身体の少なくとも一部の構造の第２のトレースのための開始点である。
【００６７】
ブロック４１０において、第４の加重重心を囲む第５の領域の第５の加重重心が決定される。ブロック４１２において、該第５の加重重心の位置に対する該第４の加重重心の位置に基づいて、該画像における構造の第２のトレースの少なくとも一部がマッピングされる。該第５の加重重心の位置に対する該第４の加重重心の位置の間のマッピングは、第２のトレースの第１のステップである。斯くして、第２のトレースは、少なくとも第２の（開始）点、第４の加重重心、及び第５の加重重心を含む、複数の重心を有する。実際には、第１のトレースと第２のトレースとは、画像における身体の少なくとも一部の構造の２つの独立したトレースを表す。
【００６８】
ブロック４１４において、第１のトレースと第２のトレースとが比較され、該画像における構造の少なくとも１本の稜線を識別する。稜線は、画像における構造の領域間の境界である。例えば、稜線は、反対の又は対向する流れ方向を持つ構造の領域間の境界、又は、構造が逸脱する（例えば分岐）領域間の境界であっても良い。画像が３次元画像である実施例においては、稜線は該３次元画像における平面又は表面であっても良い。例えば、稜線は、構造の異なる部分間の境界、又は逸脱する構造の部分間の境界を定義する、面又は表面であっても良い。画像が２次元画像である実施例においては、稜線は該２次元画像における線であっても良い。例えば、稜線は、構造の異なる部分間の境界、又は逸脱する構造の部分間の境界を定義する線であっても良い。
【００６９】
一実施例においては、第１のトレースと第２のトレースとの比較は、第１のトレースと第２のトレースとの間の局所的な逸脱最大値の決定、第１のトレースと第２のトレースとの間の平均ユークリッド距離の決定、及び第１のトレース及び第２のトレースにおける対応する点間のユークリッド距離の決定のうち１つ以上を有しても良い。
【００７０】
平均ユークリッド距離が決定される場合、これら２つのトレースにおける対応する点についての平均距離が決定される。例えば、第１のトレースにおける各点について、第１のトレースにおける該点と、第２のトレースにおける対応する点と、の間のユークリッド距離が決定され、このとき平均距離は、これら決定されたユークリッド距離の平均である。換言すれば、第１のトレースにおける各点について、第１のトレースにおけるｉ番目の点と、第２のトレースにおけるｉ番目の点と、の間のユークリッド距離が決定され、第１のトレースにおけるｉ＋１番目の点と、第２のトレースにおけるｉ＋１番目の点と、の間のユークリッド距離が決定される、等し、これら決定されたユークリッド距離の平均（平均ユークリッド距離とも呼ばれ得る）が、決定された距離として用いられる。
【００７１】
代替として、又はこれに加えて、局所的な逸脱最大値が決定される場合、これら２つのトレースにおける対応する点についての最大距離が決定される。例えば、第１のトレースにおける各点について、第１のトレースにおける該点と、第２のトレースにおける対応する点と、の間のユークリッド距離が決定される。このとき、最大距離は、これら決定されたユークリッド距離の最大値である。換言すれば、第１のトレースにおける各点について、第１のトレースにおけるｉ番目の点と、第２のトレースにおけるｉ番目の点と、の間のユークリッド距離が決定され、第１のトレースにおけるｉ＋１番目の点と、第２のトレースにおけるｉ＋１番目の点と、の間のユークリッド距離が決定される、等し、これら決定されたユークリッド距離の最大値又は最長値（局所的な逸脱最大値とも呼ばれ得る）が、決定された距離として用いられる。
【００７２】
決定された距離（例えば第１のトレース及び第２のトレースにおける対応する点間の平均ユークリッド距離、又は第１のトレース及び第２のトレースにおける対応する点間の最大ユークリッド距離）が、所定の閾値以下である場合、該決定された距離は、第１のトレースと第２のトレースとが一致することを示唆する。他方、決定された距離（例えば第１のトレース及び第２のトレースにおける対応する点間の平均ユークリッド距離、又は第１のトレース及び第２のトレースにおける対応する点間の最大ユークリッド距離）が、所定の閾値以上である場合、該決定された距離は、第１のトレースと第２のトレースとが逸脱していることを示唆する。幾つかの実施例においては、該所定の閾値は、メモリ１０８に保存された予めプログラムされた閾値であっても良い。幾つかの実施例においては、該閾値は、試験的なデータセットに対して実行された試験から学習された情報、又はユーザインタフェース１０４を介して受信されたユーザ入力に基づいて、プロセッサ１０２により設定されても良い。該閾値はまた、プロセッサ１０２により学習された情報、又はユーザインタフェース１０４を介して受信されたユーザ入力に基づいて、プロセッサ１０２により適合可能なものであっても良い。該所定の閾値は、４０ｍｍ、５０ｍｍ、５５ｍｍ、６０ｍｍ又はいずれかの間の値に設定されても良い。所定の閾値についての例が示されたが、他のいずれの値が用いられても良いことは理解されるであろう。
【００７３】
代替として、又はこれに加えて、第１のトレース及び第２のトレースにおける対応する点間のユークリッド距離が決定される場合、第１のトレース及び第２のトレースにおける点間のユークリッド距離が、第１のトレース及び第２のトレースにおける後続する点間のユークリッド距離と比較される。例えば、第１のトレースにおける各点について、第１のトレースにおける点と、第２のトレースにおける対応する点と、の間のユークリッド距離が決定される。換言すれば、第１のトレースにおける各点について、第１のトレースにおけるｉ番目の点と、第２のトレースにおけるｉ番目の点と、の間のユークリッド距離が決定され、第１のトレースにおけるｉ＋１番目の点と、第２のトレースにおけるｉ＋１番目の点と、の間のユークリッド距離が決定される、等する。次いで、これらトレースにおける２つ以上の連続する点について、決定されるユークリッド距離が増大するか減少するかが決定される。例えば、第１のトレース及び第２のトレースのｉ＋１番目の点間のユークリッド距離が、第１のトレース及び第２のトレースのｉ番目の点間のユークリッド距離より大きいか又は小さいかが決定される。これらトレースにおける２つ以上の連続する点について決定されたユークリッド距離が増大している場合（例えば、第１のトレース及び第２のトレースのｉ＋１番目の点間のユークリッド距離が、第１のトレース及び第２のトレースのｉ番目の点間のユークリッド距離より大きい場合）、第１のトレースと第２のトレースとは逸脱していると決定される。換言すれば、第１のトレースにおける点と第２のトレースにおける対応する点との間のユークリッド距離が、第１のトレースにおける後続する点と第２のトレースにおける対応する後続する点との間のユークリッド距離よりも小さい場合、第１のトレースと第２のトレースとが逸脱していると決定される。他方、これらトレースにおける２つ以上の連続する点について決定されたユークリッド距離が減少している場合（例えば、第１のトレース及び第２のトレースのｉ＋１番目の点間のユークリッド距離が、第１のトレース及び第２のトレースのｉ番目の点間のユークリッド距離より小さい場合）、第１のトレースと第２のトレースとは一致していると決定される。換言すれば、第１のトレースにおける点と第２のトレースにおける対応する点との間のユークリッド距離が、第１のトレースにおける後続する点と第２のトレースにおける対応する後続する点との間のユークリッド距離よりも大きい場合、第１のトレースと第２のトレースとが一致していると決定される。
【００７４】
斯くして、以上に説明されたいずれの態様においても、第１のトレースと第２のトレースとが逸脱（又は一致）しているか否かが決定され得る。第１のトレースと第２のトレースとが逸脱していると決定された場合、構造の稜線は第１のトレースと第２のトレースとの間に存する（又は位置する）よう識別される。例えば、該構造の稜線は、第１のトレースと第２のトレースとの間の等距離にある線に沿ってのように、第１のトレースと第２のトレースとの間の中間に存する（又は位置する）よう識別されても良い。他方、第１のトレースと第２のトレースとが一致していると決定された場合、構造の稜線は第１のトレースと第２のトレースとの間に存する（又は位置する）よう識別されないか、又は第１のトレースと第２のトレースとの間にないものとして識別される。
【００７５】
このようにして、第１のトレースと第２のトレースとの比較を通して、画像における構造の少なくとも１本の稜線を識別することが可能となる。２つのトレースは、管構造の分岐特性によって、一致するか逸脱するかすることとなるため、このことは、例えば画像における血管構造に対して有用である。実際には、第１のトレース及び第２のトレースは、増大して大きな管に引き寄せられ、画像における構造の区画又は葉の内部構造に追従する。
【００７６】
該識別された画像における構造の少なくとも１本の稜線は次いで、対象又は他のユーザに対して描画されても良い。例えば、プロセッサ１０２は、該構造の少なくとも１本の稜線を描画するよう、１つ以上のユーザインタフェース１０４を制御するよう構成されても良い。一実施例においては、該識別された構造の少なくとも１本の稜線は、表示画面により描画される。該識別された構造の少なくとも１本の稜線は、元の画像の上に重畳されたものとして描画されても良い。このようにして、該画像における身体の一部の構造は、視覚化され又は強調されることができる。
【００７７】
図４に戻ると、ブロック４１６において、ブロック４０４、４０６、４０８、４１０、４１２及び４１４の方法は、画像における該構造の少なくとも１つの他の第１及び第２のトレースについて繰り返されても良い。ここで、第１及び第２のトレースの両方について、以前の加重重心を囲む領域に基づいて各加重重心が決定され、以前の加重重心に対する加重重心の位置が、画像における構造のトレースにおけるステップを決定するために用いられる。ブロック４０４、４０６、４０８、４１０、４１２及び４１４の方法は、所定の数のステップＮについて（又は所定の数の加重重心について）又は所定の回数だけ繰り返されても良い。幾つかの実施例においては、画像における各点は、トレースのための開始点として用いられる。換言すれば、トレースは、幾つかの実施例によれば、該画像における各点から開始される。幾つかの実施例においては、稜線の位置の正確さは、第１の対のトレースに対して異なる開始点を持つ１つ又は更なる対のトレース（以上に説明されたものと同じ態様における）を生成し、異なる逸脱するトレースの位置を比較することにより稜線の位置を内挿することにより、改善させられ得る。
【００７８】
前述したように、いずれの説明された実施例においても、ここで説明される方法において用いられる、対象の身体の少なくとも一部の画像は、いずれの適切な態様で取得されても良い。該画像は、対象の身体の少なくとも一部の元の画像（例えば生の又は未処理の画像）であって良いし、又は対象の身体の少なくとも一部の取得された画像を最初に処理することにより得られたものであっても良い。
【００７９】
該画像が、対象の身体の少なくとも一部の取得された画像を処理することにより得られたものである場合、該取得された画像は、第１のガウスカーネルを用いて畳み込まれ、第１の平滑化された画像を得る。該取得された画像はまた、第２のガウスカーネルを用いて畳み込まれ、第２の平滑化された画像を得る。ここで説明される方法において用いられる、対象の身体の少なくとも一部の画像は次いで、第２の平滑化された画像から第１の平滑化された画像を減算することにより得られる。幾つかの実施例においては、第１のガウスカーネルの標準的偏差は、第２のガウスカーネルの標準偏差よりも大きい。幾つかの実施例においては、ガウスカーネルのスケールは、マッピングされている構造よりおも小さくなるよう選択される。例えば、肺区画（又は肺葉）がマッピングされている場合、カーネルは典型的な肺区画サイズよりもスケールが小さくなるよう選択される。
【００８０】
幾つかの実施例においては、ここで説明される実施例のいずれかにより対象の身体の少なくとも一部の画像が処理される前に、該方法は最初に、画像を複数の区画に分割するステップを有する。これらの実施例においては、該方法は次いで、該複数の画像区画の少なくとも１つについて実行されても良い。該複数の画像区画は、対象の身体の異なる部分のものであっても良い。例えば、画像が対象の肺のものである場合、一方の画像区画は左肺のものであり、他方の画像区画が右肺のものであっても良い。
【００８１】
いずれの説明された実施例においても、加重重心（第１の加重重心、第２の加重重心、第３の加重重心、第４の加重重心、第５の加重重心、又はその他のいずれかの加重重心）は、いずれの適切な態様で重み付けされても良い。例えば、加重重心は、以上に説明されたように、強度加重重心、密度加重重心、管状性加重重心又は強度の累乗に応じて加重されたものであっても良い。
【００８２】
これらの重みに加えて、重心は更に、局所的な近隣領域内で均一な重み（例えばボックスフィルタ）に従って、又は空間的な重み（例えばユークリッド距離のガウシアン重み）に従って、重み付けされても良い（即ち強度加重重心、密度加重重心、管状性加重重心又は強度の累乗に応じた加重が、更に重み付けされても良い）。一実施例においては、開始点又は以前の加重重心ｃを囲む領域における複数の点ｘ（又は各点ｘ）が選択されても良い。各選択された点ｘについて、ユークリッド距離ｄ（ｘ）＝｜ｘ−ｃ｜が決定される。次いで、各点ｘの重みｗ（ｘ）が、ガウス正規分布を用いて決定される。例えば、各点ｘの重みｗ（ｘ）を決定するためのガウス正規分布の式は、
ｗ（ｘ）＝ｅｘｐ（−０．５＊（ｄ＊ｄ）／（ｓ＊ｓ））
と表現されることができ、ここでｓは所定の値である。所定の値ｓは、メモリ１０８に保存された予めプログラムされた値であっても良い。幾つかの実施例においては、所定の値ｓは、試験的なデータセットに対して実行された試験から学習された情報、又はユーザインタフェース１０４を介して受信されたユーザ入力に基づいて、プロセッサ１０２により設定されても良い。所定の値ｓはまた、プロセッサ１０２により学習された情報、又はユーザインタフェース１０４を介して受信されたユーザ入力に基づいて、プロセッサ１０２により適合可能なものであっても良い。
【００８３】
幾つかの実施例においては、加重重心は、整数値の累乗に応じて局所的な管フィルタにより乗算されたユークリッド距離のガウス重みに応じて、重み付けされても良い。例えば、管フィルタの応答が、画像における各点について決定されても良い。管フィルタは、管状性値を提供する。前述したように、管状性値は、画像における点（又は加重重心）が管に属する可能性がどれだけ高いかを記述するスカラー値である。累乗は、１、２、３、４、５、６又は他のいずれかの整数値のような、いずれの整数値であっても良い。このように管フィルタを用いることは、管の強調を提供し得る。換言すれば、画像における高い強度値は強調され、画像における低い強度値は強調を低下させられる。
【００８４】
ここで説明されたいずれの実施例においても、第１の加重重心を決定する（図２のブロック２０２、図３のブロック３０２、又は図４のブロック４０２において）前に、該方法は更に、画像を等方的な点に再サンプリングするステップを有しても良い。例えば、２次元画像の実施例における等方的な点は、等方的な画素であり、３次元画像の実施例における等方的な点は、等方的なボクセルである。このようにして、点の間隔が等距離ではない画像が再サンプリングされて、点間の間隔が全ての方向に等距離である等方的な間隔が実現されることができる。例えば、ｘ、ｙ及びｚ方向においてボクセルの間隔が等距離ではない画像ボリュームは、再サンプリングされて、３つの方向ｘ、ｙ及びｚにおいてボクセル間の間隔が等距離である等方的なボクセル間隔が実現されることができる。これらの実施例においては、再サンプリングされた画像における第１の等方的な点は、図２、３又は４の実施例のいずれにおいても、第１の加重重心を決定するために用いられ得る。同様に、再サンプリングされた画像における第２の等方的な点は、図４の実施例において、第４の加重重心を決定するために用いられ得る。このようにして、画像における非等方的な点は、等方的に再サンプリングされ、ここで開示された方法が、画像における点の間隔を考慮することなく、また幾何学的な歪みをもたらすことなく、実行されることができるようにされ得る。
【００８５】
いずれの実施例によっても、画像における第１の点及び第２の点（及び他のいずれかの開始点）、決定された加重重心、第１のトレース及び第２のトレース（及び他のいずれかのトレース）は例えば、プロセッサ１０２の制御の下で、メモリ１０８に保存されても良い。このようにして、保存された情報は容易に取得されることができる。
【００８６】
図５は、一実施例による、対象の身体の少なくとも一部の画像における構造の少なくとも一部をマッピングするための方法５００を示す。本実施例においては、該画像は３次元画像であり、画像における点はボクセルである。図示された方法５００は、一般に装置１００のプロセッサ１０２により又はプロセッサ１０２の制御の下で実行されることができる。
【００８７】
図５を参照すると、ブロック５０２において、画像ボリュームが等方的に再サンプリングされる。画像ボリューム（非等方的なボクセルグリッドを有し得る）の等方的な再サンプリングは、後続するステップが、ボクセル間隔を考慮せずに、また幾何学的な歪みをもたらすことなく、実行されることができるようにする。
【００８８】
ブロック５０４において、画像における構造（例えば少なくとも１本の管）が強調される。このことは、第１のガウスカーネルを用いて該画像を畳み込んで第１の平滑化された画像を取得し、第２のガウスカーネルを用いて該画像を畳み込んで第２の平滑化された画像を取得し、第２の平滑化された画像から第１の平滑化された画像を減算することにより、前述した態様で実行される。本実施例においては、第１のガウスカーネルの標準的偏差σ１は、第２のガウスカーネルの標準偏差σ２よりも大きい。
【００８９】
ブロック５０６において、加重重心は、要素毎の態様で決定される。例えば、空間的な位置の要素ｘについて３次元のボリュームＭｘのガウス平滑化は、
Ｍｘ＝ｘ・Ｉｋ（Ｘ）
のように実行され、ここでＩｋ（ｘ）は位置Ｘ＝（ｘ，ｙ，ｚ）における管フィルタ強度（又は代替としては画像強度）であり、ｋは平均値を高い管強度に移動させるための正の整数値（例えば８の整数値又は他のいずれかの正の整数値）である。ここで、空間的な位置要素ｘが合計され、画像における各点における局所的な強度により重み付けされる。
【００９０】
同様に、空間的な位置要素ｙについての３次元ボリュームＭｙのガウス平滑化、空間的な位置要素ｚについての３次元ボリュームＭｚのガウス平滑化、及び３次元ボリュームＭ０のガウス平滑化は、
Ｍｙ＝ｙ・Ｉｋ（Ｘ）、Ｍｚ＝ｚ・Ｉｋ（Ｘ）、Ｍ０＝Ｉｋ（Ｘ）
のように実行される。
【００９１】
換言すれば、各空間的な位置要素ｘ、ｙ、ｚが独立して合計され、画像における各点における局所的な強度により重み付けされる。ここで、３次元ボリュームＭ０は、画像における各点における局所的な強度の重みの合計である。
【００９２】
実際には、３次元空間位置要素ｘ、ｙ、ｚのガウス平滑化は、元の画像と同じ程度の４つのボリュームを導出する。斯くして、次のトレース点ｘ'は、ｘｙｚ要素により、
Ｘ'＝［Ｇσ＊Ｍｘ（Ｘ），Ｇσ＊Ｍｙ（Ｘ），Ｇσ＊Ｍｚ（Ｘ）］／（Ｇσ＊Ｍ０（Ｘ））
により与えられる。
【００９３】
ここで、３つの空間的な位置要素ｘ、ｙ、ｚは、各要素の重み付けされた合計から決定され、重みの合計により除算される（即ち、各要素についての加重平均）。
【００９４】
ブロック５０８において、各ボクセル位置Ｘについて、次のトレース点Ｘ'が、後続する取得のためにメモリ１０８に保存される。
【００９５】
このようにして、本実施例による図示された方法５００は、一連のガウス畳み込みを用いる。該一連のガウス畳み込みは、対象の身体の少なくとも一部の画像における構造の少なくとも一部をマッピングするための方法が、効率の良い態様で、該対象の身体の少なくとも一部の（例えば肺）の全体のボリュームについて実行されることを可能とする。
【００９６】
図６は、一実施例による元の画像Ａ及び処理された画像Ｂを示す。処理された画像Ｂは、元の画像Ａの上に描画される重畳として提供され、該画像における身体の一部の構造を表す。図示されるように、最も高い管逸脱値６００は、処理された画像Ｂの重畳において暗く見える。本図から、処理された画像Ｂの重畳において描画される稜線は、可視の肺葉の溝においてのみならず、逸脱の位置において形成される。
【００９７】
それ故、対象の身体の少なくとも一部の画像における構造の少なくとも一部をマッピングするための、改善された方法及び装置が適用される。該方法及び装置は、医療撮像解析及び視覚化ツールにおいて有用となり得る。例えば、該方法及び装置は、癌のスクリーニングに特に有用である。
【００９８】
本発明は、コンピュータプログラム、特に本発明を実行するように構成された、担体上又は担体中のコンピュータプログラムにも拡張されることは、理解されるであろう。該プログラムは、ソースコード、オブジェクトコード、部分的にコンパイルされた形態のようなコード中間ソース及びオブジェクトコード、又は本発明による方法の実装における使用に適した他のいずれかの形態であっても良い。斯かるプログラムは、多くの異なる構造的な設計を持ち得ることも理解されるであろう。例えば、本発明による方法又はシステムの機能を実装するプログラムコードは、１つ以上のサブルーチンに分割されても良い。これらサブルーチンに機能を分散させる多くの方法が、当業者には明らかであろう。これらサブルーチンは、１つの実行可能ファイルに合わせて保存され、内蔵型プログラムを形成しても良い。斯かる実行可能ファイルは、例えばプロセッサ命令及び／又はインタプリタ命令（例えばＪａｖａ（登録商標）インタプリタ命令）のような、コンピュータ実行可能な命令を有しても良い。代替として、これらサブルーチンの１つ以上又は全てが、少なくとも１つの外部のライブラリファイルに保存され、例えば実行時に、静的又は動的にメインプログラムとリンクされても良い。メインプログラムは、これらサブルーチンの少なくとも１つに対する少なくとも１つの呼び出しを含む。また、これらサブルーチンは、互いに対する関数呼び出しを有しても良い。コンピュータプログラムに関連する実施例は、開示された方法の少なくとも１つの処理ステップの各々に対応するコンピュータ実行可能な命令を有する。これら命令はサブルーチンに分割されても良く、及び／又は静的又は動的にリンクされ得る１つ以上のファイルに保存されても良い。コンピュータプログラムに関連する他の実施例は、開示されたシステム及び／又はコンピュータプログラムの少なくとも１つの手段の各々に対応するコンピュータ実行可能な命令を有する。これら命令はサブルーチンに分割されても良く、及び／又は静的又は動的にリンクされ得る１つ以上のファイルに保存されても良い。
【００９９】
コンピュータプログラムの担体は、該プログラムを担持することが可能ないずれのエンティティ又は装置であっても良い。例えば、該担体は、例えばＣＤ−ＲＯＭ若しくは半導体ＲＯＭといったＲＯＭのような記憶媒体、又は例えばハードディスクのような磁気記録媒体を含んでも良い。更に、該担体は、電気若しくは光ケーブル、無線、又はその他の手段を介して搬送され得る、電気又は光信号のような、送信可能な媒体であっても良い。該プログラムが斯かる信号において実施化される場合には、該担体は斯かるケーブル又はその他の装置若しくは手段により構成されても良い。代替として、該担体は、関連する方法を実行するように又は関連する方法の実行における使用のために構成された、該プログラムが組み込まれた集積回路であっても良い。
【０１００】
図面、説明及び添付される請求項を読むことにより、請求される本発明を実施化する当業者によって、開示された実施例に対する変形が理解され実行され得る。請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。コンピュータプログラムは、他のハードウェアと共に又は他のハードウェアの一部として供給される光記憶媒体又は固体媒体のような適切な媒体上で保存／配布されても良いが、インターネット又はその他の有線若しくは無線通信システムを介してのような、他の形態で配布されても良い。請求項におけるいずれの参照記号も、請求の範囲を限定するものとして解釈されるべきではない。
【図１】
2019522519.tif 000003
【図２】
2019522519.tif 000004
【図３】
2019522519.tif 000005
【図４】
2019522519.tif 000006
【図５】
2019522519.tif 000007
【図６Ａ】
2019522519.tif 000008
【図６Ｂ】
2019522519.tif 000009
【国際調査報告】
2019522519.tif 000010
2019522519.tif 000011
2019522519.tif 000012